(57)【要約】【課題】  簡易な構成で媒体を確実に吸引することができる媒体搬送装置及びその媒体搬送装置を備えた記録装置と液体噴射装置を提供すること。【解決手段】  媒体搬送面５１の搬送方向及び搬送直交方向に圧力室１６１に通じる複数の吸引孔１５１ｂを設け、前記圧力室を一部連通させつつ上下に分割し、上側の前記圧力室１６１ａを空気流の粘性抵抗が発生するように形成する。これにより、上側の圧力室を流れる空気の流量は小さくなるので、吸引孔が媒体により覆われていない開放された状態であっても、負圧が低下することを防止することができる。【選択図】      図５
2005247438.tif 000002
【特許請求の範囲】
【請求項１】
媒体を吸引しつつ搬送する媒体搬送装置であって、
媒体搬送面の搬送方向及び搬送直交方向に圧力室に通じる複数の吸引孔を設け、前記圧力室を一部連通させつつ上下に分割し、上側の前記圧力室を空気流の粘性抵抗が発生するように形成したことを特徴とする媒体搬送装置。
【請求項２】
上側の前記圧力室は、下側の前記圧力室と比較して前記吸引孔からの空気流の流線方向の断面積が小さくなるように形成されていることを特徴とする請求項１に記載の媒体搬送装置。
【請求項３】
上側の前記圧力室は、下側の前記圧力室と比較して高さが低くなるように形成されていることを特徴とする請求項１または２に記載の媒体搬送装置。
【請求項４】
上側の前記圧力室と下側の前記圧力室は、前記媒体の搬送上流側で連通していることを特徴とする請求項１〜３の何れか一項に記載の媒体搬送装置。
【請求項５】
上側の前記圧力室と下側の前記圧力室は、前記媒体の搬送下流側で連通していることを特徴とする請求項１〜４の何れか一項に記載の媒体搬送装置。
【請求項６】
上側の前記圧力室は、前記媒体の搬送直交方向に複数に分割されていることを特徴とする請求項１〜５の何れか一項に記載の媒体搬送装置。
【請求項７】
記録媒体に記録する記録装置であって、
請求項１〜６の何れか一項に記載の媒体搬送装置を備えたことを特徴とする記録装置。
【請求項８】
被噴射媒体に液体を噴射する液体噴射装置であって、
請求項１〜６の何れか一項に記載の媒体搬送装置を備えたことを特徴とする液体噴射装置。
【発明の詳細な説明】
【技術分野】
【０００１】
本発明は、媒体を吸引しつつ搬送する媒体搬送装置及びその媒体搬送装置を備えた記録装置と液体噴射装置に関する。
【背景技術】
【０００２】
記録装置の１つであるインクジェット式プリンタは、記録媒体である用紙を搬送する紙送りローラ及びこの紙送りローラにより搬送されてくる用紙を吸引して面支持するプラテン等を有する用紙搬送装置と、インク粒を吐出する記録ヘッド及びこの記録ヘッドが搭載されて用紙の搬送直交方向に往復移動するキャリッジ等を備えている。このような構成において、インクジェット式プリンタは、紙送りローラを回転させて用紙をプラテンの用紙搬送面上に搬送・吸引させつつ、キャリッジを往復移動させて記録ヘッドのノズルからインク粒を吐出させることにより、用紙に記録するようになっている。
【０００３】
このようなインクジェット式プリンタは、精度の高い記録を行うために、プラテンの用紙搬送面上に用紙を確実に吸引する必要がある。そこで、プラテンに形成されている吸引孔を開閉する開閉機構を配設し、搬送される用紙の先端位置に合わせて吸引孔を順次開けていくようにしたインクジェット式プリンタが提案されている。このインクジェット式プリンタによれば、吸引孔の開口面積を減らして負圧源の損失を減らすことができるので、プラテンの用紙搬送面上に用紙を確実に吸引することができる。
【０００４】
【特許文献１】特開２００２−２０５８５５号公報
【発明の開示】
【発明が解決しようとする課題】
【０００５】
上述した従来のインクジェット式プリンタでは、開閉機構が機械的に摺動して吸引孔を開閉するように構成されているため、摺動部分で隙間が生じていると負圧源の損失を減らすことができず、逆に負圧源の損失が増える可能性がある。また、開閉機構の構成部品が増加するため、コスト高になるおそれがある。
【０００６】
本発明は、上記のような種々の課題に鑑みなされたものであり、その目的は、簡易な構成で媒体を確実に吸引することができる媒体搬送装置及びその媒体搬送装置を備えた記録装置と液体噴射装置を提供することにある。
【課題を解決するための手段】
【０００７】
上記目的達成のため、本発明の媒体搬送装置では、媒体を吸引しつつ搬送する媒体搬送装置であって、媒体搬送面の搬送方向及び搬送直交方向に圧力室に通じる複数の吸引孔を設け、前記圧力室を一部連通させつつ上下に分割し、上側の前記圧力室を空気流の粘性抵抗が発生するように形成したことを特徴としている。これにより、上側の圧力室を流れる空気の流量は小さくなるので、吸引孔が媒体により覆われていない開放された状態であっても、負圧が低下することを防止することができる。
【０００８】
また、上側の前記圧力室は、下側の前記圧力室と比較して前記吸引孔からの空気流の流線方向の断面積が小さくなるように形成されていることを特徴としている。これにより、圧力室の内部構造のみを変更すれば良いので、簡易な構成とすることができる。また、上側の前記圧力室は、下側の前記圧力室と比較して高さが低くなるように形成されていることを特徴としている。これにより、圧力室を上下に仕切る仕切り壁のみを配設すれば良いので、より簡易な構成とすることができる。
【０００９】
また、上側の前記圧力室と下側の前記圧力室は、前記媒体の搬送上流側で連通していることを特徴としている。これにより、媒体の搬送上流側では空気流量が大きいので媒体を確実に引き付けることができ、媒体の搬送下流側では大きな負圧を維持できるので媒体を確実に吸引することができる。また、上側の前記圧力室と下側の前記圧力室は、前記媒体の搬送下流側で連通していることを特徴としている。これにより、浮き上がり易い媒体の先端を確実に吸引することができる。また、上側の前記圧力室は、前記媒体の搬送直交方向に複数に分割されていることを特徴としている。これにより、媒体の任意の位置における空気流量を調節することができる。
【００１０】
上記目的達成のため、本発明の記録装置では、記録媒体に記録する記録装置であって、上記各媒体搬送装置を備えたことを特徴としている。また、上記目的達成のため、本発明の液体噴射装置では、被噴射媒体に液体を噴射する液体噴射装置であって、上記各媒体搬送装置を備えたことを特徴としている。これにより、上記各作用効果を奏する記録装置または液体噴射装置を提供することができる。
【発明を実施するための最良の形態】
【００１１】
図１及び図２は、本発明の実施の形態に係る記録装置の１つであるインクジェット式プリンタの外観構成例を正面側から見た斜視図、図３は、それを背面側から見た斜視図、図４は、それの内部構造を示す斜視図である。このインクジェット式プリンタ１００は、例えばＪＩＳ規格のＡ０判やＪＩＳ規格のＢ０判といった比較的大型のサイズのカット紙やそれらの用紙幅を有するロール紙Ｒにまで記録できる大型のプリンタである。このインクジェット式プリンタ１００は、図１〜図４に示すように、直方体状のプリンタ本体部１１０と、このプリンタ本体部１１０を支えるプリンタ脚部１２０を備えている。
【００１２】
プリンタ本体部１１０は、図１〜図４に示すように、上下２層に分かれており、図３に示すように、背面側の上下層の境界部分にはロール紙収納部１３０が配設されている。そして、図１〜図４に示すように、上層には給排紙部１４０と記録部１５０が配設されている。さらに、図１〜図４に示すように、下層の中央には本発明の特徴的な部分を含む用紙吸引部１６０が配設され、前面側から見て下層の左側にはインク供給部１７０が配設され、前面側から見て下層の右側にはヘッド特性回復部１８０と駆動制御部１９０が上下に配設されている。そして、図１〜図４に示すように、駆動制御部１９０の下方であってプリンタ脚部１２０の脇には、廃インク回収部２００が配設されている。
【００１３】
プリンタ本体部１１０は、図１〜図３に示すように、給排紙部１４０と記録部１５０を覆うプラスチックあるいは板金でなる上部ハウジング１１１と、用紙吸引部１６０とインク供給部１７０とヘッド特性回復部１８０と駆動制御部１９０を覆うプラスチックあるいは板金でなる下部ハウジング１１２を備えている。そして、上部ハウジング１１１は、図２に示すように、中央前面から中央上面にかけて開放可能なようにプラスチックあるいは板金でなる本体カバー１１３が配設されている。また、下部ハウジング１１２は、図２に示すように、インク供給部１７０の前面が開放可能なようにプラスチックあるいは板金でなるインクカバー１１４が配設されている。
【００１４】
本体カバー１１３は、図１及び図２に示すように、後部が上部ハウジング１１１に対して回動可能に支持されており、ユーザが前面に形成されている凹んだ指掛け部１１３ａに指を入れて押し上げ、あるいは押し下げることにより開閉するようになっている。ユーザは、本体カバー１１３を開けることにより給排紙部１４０及び記録部１５０の上方を大きく開放することができるので、記録ヘッド１５２やキャリッジ１５３等のメンテナンス作業及び記録中や搬送中における紙ジャム等の用紙搬送エラーの解除作業等を容易に行うことができる。さらに、本体カバー１１３は、図１及び図３に示すように、上面の一部に透明もしくは半透明のプラスチックでなる窓１１３ｂが設けられている。ユーザは、本体カバー１１３を開けなくても窓１１３ｂから内部を覗くことにより、記録状態や搬送状態を視認することができる。
【００１５】
インクカバー１１４は、図１及び図２に示すように、両側部が下部ハウジング１１２に対してスライド可能に支持されており、ユーザが前面に形成されている凹んだ指掛け部１１４ａに指を入れて押し上げ、あるいは押し下げることにより開閉するようになっている。ユーザは、インクカバー１１４を開けることによりインク供給部１７０の前面を大きく開放することができるので、インクカートリッジ１０の交換作業等を容易に行うことができる。さらに、インクカバー１１４は、図１及び図２に示すように、前面の一部に透明もしくは半透明のプラスチックでなる窓１１４ｂが設けられている。ユーザは、インクカバー１１４を開けなくても窓１１４ｂから内部を覗くことにより、インクカートリッジ１０の状態を視認することができる。
【００１６】
さらに、プリンタ本体部１１０は、図１〜図３に示すように、前面側から見て右側の上層の上面には、ユーザが記録制御等を操作するための操作パネル１１５が配設されている。この操作パネル１１５は、液晶画面と各種ボタンが配設されており、ユーザが液晶画面を見て確認しながらボタン操作できるようになっている。ユーザは、視認による確実な操作を行うことができるので、動作エラーや動作ミス等を無くすことができる。
【００１７】
プリンタ脚部１２０は、図１〜図４に示すように、逆Ｔ字形の２本の支持柱１２１と、これらの支持柱１２１間に架け渡された補強柱１２２を備えている。そして、支持柱１２１の上部にプリンタ本体部１１０が載置されネジ止め固定されるようになっている。プリンタ脚部１２０によりプリンタ本体部１１０が持ち上げられた状態におかれるため、ユーザは給排紙処理や各種メンテナンス処理等を楽に行うことが可能になる。さらに、プリンタ脚部１２０の空間に排紙受け部を設置することが可能となり、記録済みの用紙を効率良く回収することができるとともに、記録済みの用紙の汚染等を防止することができる。
【００１８】
ロール紙収納部１３０は、図３に示すように、ロール紙Ｒの内周部に貫装されてロール紙Ｒを支持するスピンドル１３１と、このスピンドル１３１の両端を回動自在に軸支持する図示しない軸受を備えている。用紙吸引部１６０の背面は、その両側のインク供給部１７０の背面とヘッド特性回復部１８０及び駆動制御部１９０の背面よりも凹んで形成されており、この凹み部を利用してロール紙収納部１３０が配設されている。
【００１９】
すなわち、インク供給部１７０とヘッド特性回復部１８０及び駆動制御部１９０の対向側面には、スピンドル１３１を主走査方向に向けてその両端を回動自在に軸支持する図示しない軸受が内蔵されている。そして、これらの軸受間にロール紙Ｒの内周部を貫装しているスピンドル１３１を架け渡すことにより、ロール紙Ｒをプリンタ本体部１１０の背面側から突出させずにセッティングすることができる。
【００２０】
給排紙部１４０は、図４に示すように、紙送りローラ１４１とその紙送り従動ローラ１４２を備えている。紙送りローラ１４１とその紙送り従動ローラ１４２は、ロール紙収納部１３０から直の給紙下流側、すなわちプリンタ本体部１１０内の後部側において、軸が主走査方向を向いて周面が上下に対向するように配置されている。紙送りローラ１４１は、１本の長尺のローラとして形成されており、記録可能な最大用紙幅より若干大きい周面部分にはセラミック粉等がコーティングされている。これにより、紙送りの際の滑りを防止することができるので、用紙を高精度に送り出すことができる。この紙送りローラ１４１は、両端がサイドフレーム１１６に図示しない軸受を介して軸支持されており、紙送りモータ１４３からプーリ１４４及びベルト１４５を介して伝達される駆動力により正逆回転駆動するようになっている。
【００２１】
紙送り従動ローラ１４２は、複数個の短尺のローラとして形成されており、紙送りローラ１４１の上方で軸方向に複数並設された従動ローラ支持部材１４６に回動自在に軸支持されている。この紙送り従動ローラ１４２は、従動ローラ支持部材１４６に取り付けられている図示しないバネ等の付勢部材により紙送りローラ１４１に押圧されており、紙送りローラ１４１の正逆回転駆動に追従して正逆回転するようになっている。これにより、用紙を両面からしっかりと押さえ込んで送り出すことができるので、高精度な記録を行うことができる。そして、紙送りローラ１４１とその紙送り従動ローラ１４２は、図３に示すプリンタ本体部１１０の上下層間に形成されている給紙口１４７から給紙されるロール紙Ｒやカット紙を挟持して、図２及び図４に示す記録部１５０のプラテン１５１上に向けて送り出し、図１に示すプリンタ本体部１１０の上下層間に形成されている排紙口１４８から排紙するようになっている。
【００２２】
記録部１５０は、図２及び図４に示すように、紙送りローラ１４１から直の搬送下流側に配設されたプラテン１５１と、記録ヘッド１５２を搭載したキャリッジ１５３と、キャリッジ１５３に装着されたカッタ１５４を備えている。さらに、記録部１５０は、記録ヘッド１５２と記録を実行するための駆動制御部１９０とを電気的に接続する図示しないフレキシブルフラットケーブル（以下、ＦＦＣという）、記録ヘッド１５１とインクが入ったインクカートリッジ１０とを繋ぐ図示しないインクチューブ等を備えている。
【００２３】
プラテン１５１は、記録可能な最大用紙幅より若干大きい長さの矩形平板状に形成されて紙送りローラ１４１に沿って配設されている。このプラテン１５１は、表面から裏面にかけては用紙吸引部１６０に繋がる図示しない複数の孔が穿設され、表面には吸湿によって生じる用紙のコックリング等を吸収する図示しない複数の凹凸部が形成されている。これにより、記録中の用紙を略平面状に保持することができるので、高精度な記録を行うことができる。プラテン１５１の用紙搬送面５１の高さは、紙送りローラ１４１と紙送り従動ローラ１４２で用紙を挟持する高さよりもやや低くなるように配設し、かつ紙送り従動ローラ１４２を用紙の搬送下流側にやや傾けて配設されている。これにより、用紙を用紙搬送面５１に押し付けることができる。
【００２４】
さらに、プラテン１５１の表面には、主走査方向に延びるカッタ溝１５１ａが形成されている。このカッタ溝１５１ａは、カッタ１５４がロール紙Ｒを幅方向にカッティングする際にプラテン１５１の表面を傷付けないように、ロール紙Ｒの下面から突出したカッタ１５４の刃先が入り込むことができる大きさに形成されている。これにより、ロール紙Ｒの記録部分と未記録部分とを確実に切り離すことができる。
【００２５】
記録ヘッド１５２は、キャリッジ１５３の下部においてプラテン１５１の上面に供給されるカット紙やロール紙Ｒと所定間隔を空けて対向するように配設されており、２種類のブラックインクを吐出するブラックインク用記録ヘッドと、シアン、マゼンタ、イエロー、レッド、ブルー、グロスオプティマイザ等の各色のインクを吐出する複数のカラーインク用記録ヘッドとを備えている。そして、記録ヘッド１５２は、圧力発生室とそれに繋がるノズル開口が設けられており、圧力発生室内にインクを貯留して所定圧で加圧することにより、ノズル開口からプラテン１５１の上面に供給されるカット紙やロール紙Ｒに向けてコントロールされた大きさのインク滴を吐出するようになっている。
【００２６】
キャリッジ１５３は、主走査方向に設けられているキャリッジガイド軸１５５に図示しないベアリングを介して載置され、ベルト１５６に結合されている。そして、キャリッジ１５３は、図示しない移動手段を構成するキャリッジモータによって移動手段を構成するプーリ１５７が回転して移動手段を構成するベルト１５６が回動すると、ベルト１５６の動きに連行され、キャリッジガイド軸１５５に案内されて主走査方向に往復移動するようになっている。これにより、キャリッジ１５３を高精度に移動させることができるので、高精度な記録を行うことができる。
【００２７】
カッタ１５４は、刃先が下方を向くようにして、上下方向に昇降可能であって主走査方向に移動可能に配設されている。このカッタ１５４は、例えばソレノイド等により上下方向に昇降され、キャリッジ１５３とともに主走査方向に移動されるようになっている。したがって、カッタ１５４を移動させるための手段を別途設ける必要は無いので、省スペースを図ることができるとともに、コストを抑えることができる。なお、カッタ１５４をキャリッジ１５３から分離して独自のベルト機構やモータ等により主走査方向に移動するように構成しても良い。
【００２８】
ＦＦＣは、一端が駆動制御部１９０のコネクタに接続され、他端が記録ヘッド１５２のコネクタに接続されており、記録信号を駆動制御部１９０から記録ヘッド１５２に送るようになっている。インクチューブは、上記各色のインク用が配設されており、図示しないインク加圧供給手段を介して各一端が対応する各色のインクカートリッジ１０に繋がれ、各他端が対応する各色の記録ヘッド１５２に繋がれている。そして、インクチューブは、インク加圧供給手段によって加圧された各色のインクをインクカートリッジ１０から記録ヘッド１５２に送るようになっている。
【００２９】
用紙吸引部１６０は、図４に示すように、プラテン１５１の下部に配設された本発明の特徴的な部分である圧力室１６１と、圧力室１６１の下部に配設された図示しないファンを備えている。圧力室１６１は、上面と底面の一部が開放された箱状に形成されており、上面の開放部にプラテン１５１が取り付けられ、底面の開放部にファンが取り付けられている。ファンを回転させることにより、プラテン１５１に穿設されている孔から圧力室１６１内に吸気され、ファンを通って外部に排気される。したがって、プラテン１５１の上面にカット紙やロール紙Ｒが供給されると、カット紙やロール紙Ｒの下面側に負圧が発生するので、カット紙やロール紙Ｒをプラテン１５１の上面に吸着させてカット紙やロール紙Ｒの浮き上がりを防止することができ、記録精度を高精度に維持することができる。
【００３０】
インク供給部１７０は、図４に示すように、箱状のカートリッジ収納部１７１と、カートリッジ収納部１７１の前面側に取り付けられたカートリッジ押さえ部１７２を備えている。カートリッジ収納部１７１は、図示左側から順に２種類のブラック、シアン、マゼンタ、イエロー、レッド、ブルー、グロスオプティマイザの計８色のインクカートリッジ１０が前面側から個々に引き出し、押し入れ可能なように仕切られている。カートリッジ押さえ部１７２は、カートリッジ収納部１７１の各仕切り部毎に開閉自在に取り付けられており、閉動作に連動して仕切り部内のインクカートリッジ１０を押さえ込み、開動作に連動して仕切り部内のインクカートリッジ１０を飛び出させるようになっている。
【００３１】
ここで、インクカートリッジ１０は、例えば硬質プラスチック材料で直方体状に形成された外装ケース内に、例えば可撓性材料で袋状に形成されて内部にインクが充填されたインクタンクが密閉されている。そして、カートリッジ収納部１７１への挿入側の面には、インクタンクに繋がるインク供給口と、カートリッジ収納部１７１での位置決め穴が形成されている。一方、カートリッジ収納部１７１の内側後面には、インクカートリッジ１０のインク供給口内に挿入されるインク供給針と、インクカートリッジ１０の位置決め穴内に挿入される位置決め針が、インクカートリッジ１０の引き出し、押し入れ方向に突き出るように配設されている。
【００３２】
したがって、カートリッジ収納部１７１内に収納されたインクカートリッジ１０は、カートリッジ押さえ部１７２が閉じられると、自動的に位置決め針が位置決め穴内に侵入して位置決めされると同時に、自動的にインク供給針がインク供給口内に侵入して記録ヘッド１５２へのインク供給が可能となる。また、カートリッジ押さえ部１７２が開かれると、自動的に位置決め針が位置決め穴から抜き出されると同時に、自動的にインク供給針がインク供給口から抜き出される。
【００３３】
ヘッド特性回復部１８０は、図４に示すホームポジションに位置したキャリッジ１５３の下方に配設されており、ワイピング手段とキャッピング手段及び吸引手段とこれらの駆動手段を備えている。ワイピング手段は、ゴム、フェルトあるいはプラスチック等により略矩形平板状に形成されたワイパーを備えており、記録ヘッド１５２のノズル形成面に対して擦れてノズル形成面に付着しているインクを払拭するようになっている。
【００３４】
キャッピング手段は、ゴムにより略直方体状に形成されたキャップを備えており、上部に設けられている窪みが記録ヘッド１５２のノズル形成面に押し付けられてノズル開口を封止するようになっている。吸引手段は、ノズル開口の目詰まりや混入した気泡を除去するためにインクを強制的に吸引排出するようになっている。したがって、キャリッジ１５３がホームポジションに位置している状態のときに記録ヘッド１５２のインク吐出特性を一定な状態に維持する処理を行うことができる。
【００３５】
廃インク回収部２００は、着脱自在な廃液カートリッジ２０１を備えている。廃液カートリッジ２０１は、記録ヘッド１５２に至るインク供給系に初期充填する際に使用されるインク、あるいは記録ヘッド１５２に至るインク供給系を洗浄する際に使用される洗浄液等の廃液を貯留するようになっている。これにより、廃液カートリッジ２０１を交換するのみで廃液の処理を完了することができるので、作業工数を低減させることができるとともに、プリンタ周辺部の汚染を防止することができる。
【００３６】
図５（Ａ）は、本発明の第１の実施形態の圧力室１６１とその周辺部を示す断面正面図、同図（Ｂ）は、その断面側面図である。この圧力室１６１は、上面と底面の一部が開放された箱状に形成されており、上面の開放部にプラテン１５１が取り付けられ、底面の開放部にファン１６２が取り付けられている。プラテン１５１には、圧力室１６１に通じる複数の吸引孔１５１ｂが用紙の搬送方向及び搬送直交方向に例えば格子状に穿設されている。
【００３７】
この圧力室１６１は、矩形状の仕切り壁１６３により上圧力室１６１ａと下圧力室１６１ｂに分割されており、さらに、上圧力室１６１ａと下圧力室１６１ｂが連通するように、仕切り壁１６３における搬送上流端部側の一部に、搬送直交方向に延びる帯状の切り欠き部１６３ａが形成されている。そして、上圧力室１６１ａは、空気流の粘性抵抗（流体抵抗）が発生するように形成されている。具体的には、上圧力室１６１ａは、空気流の流線方向の断面積が下圧力室１６１ｂの空気流の流線方向の断面積よりも小さくなるように形成されている。図に示す例では、圧力室１６１が直方体状であるため、上圧力室１６１ａの高さが下圧力室１６１ｂの高さよりも低くなるように形成すれば良い。また、切り欠き部１６３ａの断面積は、上圧力室１６１ａの上記断面積よりも小さくなるように形成されている。
【００３８】
このような構成によれば、用紙がプラテン１５１に搬送される前においては、搬送上流側では切り欠き部１６３ａに近いため空気の流量が大きくなるが、搬送下流側では切り欠き部１６３ａから遠いため空気の流量は小さくなる。したがって、空気の損失が抑えられるので、十分な負圧を維持することができる。次に、用紙がプラテン１５１上に搬送されてきたときは、搬送上流側は空気の流量が大きいため、用紙はプラテン１５１の用紙搬送面５１に引き付けられて負圧により吸着する。したがって、特に浮き上がり易い用紙の先端部を確実に吸引することができる。そして、用紙がさらに搬送されてプラテン１５１の用紙搬送面５１を覆うと、搬送下流側は空気の流量が小さく大きな負圧が発生するため、用紙には略一様に負圧が掛かる。したがって、用紙の全面をプラテン１５１の用紙搬送面５１に確実に吸引することができる。
【００３９】
図６（Ａ）は、本発明の第２の実施形態の圧力室１６１とその周辺部を図５（Ａ）に対応させて示す断面正面図、同図（Ｂ）は、図５（Ｂ）に対応させて示す断面側面図であり、同一構成個所は同一番号を付す。この圧力室１６１は、矩形状の仕切り壁１６４により上圧力室１６１ａと下圧力室１６１ｂに分割されており、さらに、上圧力室１６１ａと下圧力室１６１ｂが連通するように、仕切り壁１６４における搬送下流端部側の一部に、搬送直交方向に延びる帯状の切り欠き部１６４ａが形成されている。そして、上圧力室１６１ａは、空気流の粘性抵抗（流体抵抗）が発生するように形成されている。具体的には、上圧力室１６１ａは、空気流の流線方向の断面積が下圧力室１６１ｂの空気流の流線方向の断面積よりも小さくなるように形成されている。図に示す例では、圧力室１６１が直方体状であるため、上圧力室１６１ａの高さが下圧力室１６１ｂの高さよりも低くなるように形成すれば良い。また、切り欠き部１６４ａの断面積は、上圧力室１６１ａの上記断面積よりも小さくなるように形成されている。
【００４０】
このような構成によれば、用紙がプラテン１５１に搬送される前においては、搬送上流側では切り欠き部１６４ａから遠いため空気の流量は小さくなるが、搬送下流側では切り欠き部１６４ａに近いため空気の流量が大きくなる。したがって、空気の損失が抑えられるので、十分な負圧を維持することができる。次に、用紙が搬送されてプラテン１５１の用紙搬送面５１を覆うと、搬送下流側は空気の流量が大きいため、用紙はプラテン１５１の用紙搬送面５１に引き付けられて負圧により吸着する。したがって、紙送りローラ１４１から遠いために浮き上がり易い用紙の先端部を確実に吸引して先端部の暴れを抑えることができる。
【００４１】
図７（Ａ）は、本発明の第３の実施形態の圧力室１６１とその周辺部を図５（Ａ）に対応させて示す断面正面図、同図（Ｂ）は、図５（Ｂ）に対応させて示す断面側面図であり、同一構成個所は同一番号を付す。この圧力室１６１は、矩形状の仕切り壁１６５により上圧力室１６１ａと下圧力室１６１ｂに分割されており、さらに、上圧力室１６１ａが搬送方向に延びる仕切り壁１６６により例えば搬送方向に並ぶ吸引孔１５１ｂ毎の複数の管路状上圧力室１６１ａａに分割されている。そして、各管路状上圧力室１６１ａａと下圧力室１６１ｂが連通するように、仕切り壁１６５における搬送上流端部側の一部に、円形状の穴部１６５ａが各管路状上圧力室１６１ａａ毎に形成されている。そして、上圧力室１６１ａは、空気流の粘性抵抗（流体抵抗）が発生するように形成されている。具体的には、上圧力室１６１ａは、空気流の流線方向の断面積が下圧力室１６１ｂの空気流の流線方向の断面積よりも小さくなるように形成されている。図に示す例では、圧力室１６１が直方体状であるため、上圧力室１６１ａの高さが下圧力室１６１ｂの高さよりも低くなるように形成すれば良い。また、各穴部１６５ａの断面積は、上圧力室１６１ａの上記断面積よりも小さくなるように形成されている。
【００４２】
このような構成によれば、用紙がプラテン１５１に搬送される前においては、搬送上流側では穴部１６５ａに近いため空気の流量が大きくなるが、搬送下流側では穴部１６５ａから遠いため空気の流量は小さくなる。したがって、空気の損失が抑えられるので、十分な負圧を維持することができる。次に、用紙がプラテン１５１上に搬送されてきたときは、搬送上流側は空気の流量が大きいため、用紙はプラテン１５１の用紙搬送面５１に引き付けられて負圧により吸着する。したがって、特に浮き上がり易い用紙の先端部を確実に吸引することができる。そして、用紙がさらに搬送されてプラテン１５１の用紙搬送面５１を覆うと、搬送下流側は空気の流量が小さく大きな負圧が発生するため、用紙には略一様に負圧が掛かる。したがって、用紙の全面をプラテン１５１の用紙搬送面５１に確実に吸引することができる。
【００４３】
そして、最大の特徴として、管路状上圧力室１６１ａａが独立した管路状に形成されているので、特に吸引したい用紙の部位によっては、管路状上圧力室１６１ａａの断面積や穴部１６５ａの面積を変えて空気の流量を調整することができる。例えば、用紙の両側端部に対応する管路状上圧力室１６１ａａの断面積を大きくし、かつ穴部１６５ａの面積を大きくすることにより、他の管路状上圧力室１６１ａａよりも空気の流量が大きくなるので、浮き上がり易い用紙の両側端部を確実に吸着することができる。
【００４４】
なお、上述した実施形態で説明した圧力室１６１は、各図に示す形状に特に限定されるものではなく、吸引したい用紙の個所によって切り欠き部１６４ａ、１６３ａや穴部１６５ａの位置及び吸引孔１５１ｂの大きさを変化させることができる。例えば、切り欠き部１６４ａ、１６３ａや穴部１６５ａを搬送上流側及び搬送下流側の両方に設け、あるいはそれらの間に設けるようにしても良い。すなわち、吸引したい用紙の個所には、負圧に加えて、ある程度の空気の流量が必要であり、狭い平板内や管路内を空気が流れるときは切り欠き部１６４ａ、１６３ａや穴部１６５ａから近い個所ほどその流路抵抗が小さいため空気の流量は大きくなる。
【００４５】
以上のように、本実施形態のインクジェット式プリンタ１００によれば、圧力室１６１を一部連通させつつ上下に分割し、上側の圧力室１６１ａを空気流の粘性抵抗が発生するように形成したので、上側の圧力室１６１ａを流れる空気の流量は小さくなり、吸引孔１５１ｂが用紙により覆われていない開放された状態であっても、負圧が低下することを防止することができる。すなわち、圧力室１６１は、その形状で空気の損失を調整しており、従来技術で述べたような機械的に摺動して吸引孔を開閉する開閉機構が不要となるので、コストを掛けずにファン１６２の損失を確実に減らすことができる。特に、記録幅の広い記録ヘッド１５２を使用する際や、搬送方向に吸引孔１５１ｂを多く形成する際に、用紙で覆っていない吸引孔１５１ｂの空気損失を減らすことができ、大きな負圧を維持することができる。
【産業上の利用可能性】
【００４６】
媒体搬送装置を備えた記録装置であれば、例えばファクシミリ装置、コピー装置等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４７】
【図１】本発明の実施の形態に係る記録装置の１つであるインクジェット式プリンタの外観構成例を正面側から見た第１の斜視図である。
【図２】図１のプリンタの外観構成例を正面側から見た第２の斜視図である。
【図３】図１のプリンタを背面側から見た斜視図である。
【図４】図１のプリンタの内部構造を示す斜視図である。
【図５】本発明の第１の実施形態の圧力室とその周辺部を示す図である。
【図６】本発明の第２の実施形態の圧力室とその周辺部を示す図である。
【図７】本発明の第３の実施形態の圧力室とその周辺部を示す図である。
【符号の説明】
【００４８】
１０  インクカートリッジ、５１  用紙搬送面、１００  インクジェット式プリンタ、１１０  プリンタ本体部、１１１  上部ハウジング、１１２  下部ハウジング、１１３  本体カバー、１１４  インクカバー、１１５  操作パネル、１２０  プリンタ脚部、１３０  ロール紙収納部、１４０  給排紙部、１４１  紙送りローラ、１４２  紙送り従動ローラ、１４３  紙送りモータ、１５０  記録部、１５１、２５１  プラテン、１５２  記録ヘッド、１５３  キャリッジ、１５４  カッタ、１５５  キャリッジガイド軸、１５６  ベルト、１５７  プーリ、１５８  吸振手段、１６０  用紙吸引部、１６１  圧力室、１６１ａ  上圧力室、１６１ａａ  管路状上圧力室、１６１ｂ  下圧力室、１６２  ファン、１６３、１６４、１６５  仕切り壁、１６３ａ、１６４ａ  切り欠き部、１６５ａ  穴部、１７０  インク供給部、１７１  カートリッジ収納部、１７２  カートリッジ押さえ部、１８０  ヘッド特性回復部、１９０  駆動制御部、２００  廃インク回収部
【図１】
2005247438.tif 000003
【図２】
2005247438.tif 000004
【図３】
2005247438.tif 000005
【図４】
2005247438.tif 000006
【図５】
2005247438.tif 000007
【図６】
2005247438.tif 000008
【図７】
2005247438.tif 000009